(57)【要約】【課題】厚くて硬い木材に対して小さなねじ込み力で容易にねじ込むことができ、十分な締付け力が得られる硬質木材用タッピンねじを提供する。【解決手段】一端に円錐状のテーパ部２が設けられ、他端に回転工具の係合部を有する頭部３が設けられている軸部１の外周に平行ねじ山５が設けられると共に、テーパ部２に先端導入ねじ山４が設けられ、該先端導入ねじ山４は前記平行ねじ山５に連続しているタッピンねじであって、テーパ部２に隣接する軸部４の先端部位１ａに、半径方向へ突出し、前記平行ねじ山５を分断することなく、長手方向へ延びる複数の突条６，６が設けられていることを特徴とする。【選択図】図１
2010190269.tif 000002
【特許請求の範囲】
【請求項１】
一端に円錐状のテーパ部が設けられ、他端に回転工具の係合部を有する頭部が設けられている軸部の外周に平行ねじ山が設けられると共に、前記テーパ部に先端導入ねじ山が設けられ、該先端導入ねじ山は、前記平行ねじ山に連続しているタッピンねじであって、
前記テーパ部に隣接する前記軸部の先端部位に、半径方向へ突出し、前記平行ねじ山を分断することなく長手方向へ延びる複数の突条が設けられていることを特徴とする硬質木材用タッピンねじ。
【請求項２】
前記突条が、前記平行ねじ山と交叉して長手方向へ延びていることを特徴とする請求項１記載の硬質木材用タッピンねじ。
【請求項３】
前記突条が、前記平行ねじ山の中間にねじピッチとほぼ等しい長さに形成されていることを特徴とする請求項１記載の硬質木材用タッピンねじ。
【請求項４】
前記突条の高さが、前記平行ねじ山の高さとほぼ等しいことを特徴とする請求項１、２又は３記載の硬質木材用タッピンねじ。
【請求項５】
前記突条の高さが、前記平行ねじ山の高さ以下であることを特徴とする請求項１、２又は３記載の硬質木材用タッピンねじ。
【発明の詳細な説明】
【技術分野】
【０００１】
本発明は、厚くて硬い木材にねじ込むのに適した硬質木材用タッピンねじに関するものである。
【背景技術】
【０００２】
木材用タッピンねじとして、一端に円錐状のテーパ部が設けられ、他端に回転工具の係合部を有する頭部が設けられている軸部の外周に平行ねじ山が設けられると共に、前記テーパ部に先端導入ねじ山が設けられ、該先端導入ねじ山は前記平行ねじ山に連続しているものが従来技術として知られている。
【０００３】
上記従来の木材用タッピンねじを用いて、例えば比較的厚くて硬い床材を桁材にねじ止めして固定する場合、前記先端導入ねじ山を木部に喰い込ませるために強く押込みながら回転させる必要があり、円錐状テーパ部で木部の繊維質を押し拡げながら前記先端導入ねじ山で雌ねじをタッピングするため、該雌ねじに前記平行ねじ山をねじ込んでねじの自進作用を生じさせるまでの回転抵抗が大きく、焼付きが生じ易くなる。さらに硬質木材の場合には、大きな押込み力によって割れを生じるという問題があった。
【０００４】
上記のような問題点を解消するものとして、前記円錐状テーパ部に隣接する前記軸部の先端部位にリーマ機能を有する複数の突条を設けた木材用タッピンねじが提案されている（特許文献１〜３参照）。
【０００５】
これらの木材用タッピンねじは、前記突条が軸方向にねじれて延び、ねじ込み時にリーマとして機能するので、該突条により木部の繊維質を解きほぐして軟らかくし、硬い木材に対しても小さなねじ込み力によって前記平行ねじ山をねじ込むことができるという利点がある。
【０００６】
しかし、これらの木材用タッピンねじの前記突条はいずれも、前記円錐状テーパ部の先端導入ねじ山と、前記軸部の先端部位の平行ねじ山とを分断して設けられているため、前記先端導入ねじ山によりタッピングした雌ねじに前記平行ねじ山が正しくねじ込まれない欠点があり、このため前記平行ねじ山によるねじの自進作用を生じさせるまでの回転抵抗が大きいばかりでなく、前記雌ねじを破壊することもあり、十分な締付け力が得られないという不都合があった。
【先行技術文献】
【特許文献】
【０００７】
【特許文献１】特開２００３−４２１２２号公報
【特許文献２】実公平５−１４００５号公報
【特許文献１】実開昭６３−１２８３０８号公報
【発明の概要】
【発明が解決しようとする課題】
【０００８】
本発明の課題は、上記の問題点を解決し、厚くて硬い木材に対して小さなねじ込み力で容易にねじ込むことができ、十分な締付け力が得られる硬質木材用タッピンねじを提供することにある。
【課題を解決するための手段】
【０００９】
上記の課題を解決するため、本発明は、一端に円錐状のテーパ部が設けられ、他端に回転工具の係合部を有する頭部が設けられている軸部の外周に平行ねじ山が設けられると共に、前記テーパ部に先端導入ねじ山が設けられ、該先端導入ねじ山は前記平行ねじ山に連続しているタッピンねじであって、前記テーパ部に隣接する前記軸部の先端部位に、半径方向へ突出し、前記平行ねじ山を分断することなく、長手方向へ延びる複数の突条が設けられていることを特徴とする硬質木材用タッピンねじである。
【００１０】
上記の構成において、前記突条は、前記軸部の先端部位の前記平行ねじ山と交叉して長手方向へ延びる構成とすることが好ましいけれども、前記平行ねじ山の中間にねじピッチとほぼ等しい長さに形成する構成としてもよい。
【００１１】
また、前記突条の高さは、前記平行ねじ山の高さとほぼ等しい構成とするが、前記平行ねじ山の高さ以下にしてもよい。
【００１２】
さらに、前記突条は、前記軸部の軸線に対してねじれて長手方向へ延びる構成とすることが好ましいけれども、前記軸部の軸線と平行して長手方向へ延びる構成としてもよい。
【発明の効果】
【００１３】
本発明のタッピンねじは、前記テーパ部に隣接する前記軸部の先端部位に半径方向へ突出し、長手方向へ延びる前記突条が、前記軸部に設けた前記平行ねじ山を分断しない構成であるから、前記テーパ部に設けた前記先端導入ねじ山を木部に喰い込ませて雌ねじをタッピングし、続いてリーマ機能を有する前記突条が木部の繊維質を解きほぐして軟らかくして、前記平行ねじ山のねじ込み抵抗を軽減させることができ、しかも、前記平行ねじ山は前記先端導入ねじ山に連続しているので、タッピングされた前記雌ねじに正しく螺合し、前記平行ねじ山を小さなねじ込み力でねじこ込んでねじの自進作用を生じさせることができる。したがって、硬い木材に対しても小さいねじ込み力で容易にねじ込むことができ、十分な締付け力が得られるという効果を奏する。
【図面の簡単な説明】
【００１４】
【図１】本発明の実施例１に係る硬質木材用タッピンねじの正面図である。
【図２】同上左側面図である。
【図３】同上右側面図である。
【図４】図１の要部拡大図である。
【図５】図２の要部拡大図である。
【図６】図３の要部拡大図である。
【図７】本発明の実施例２に係る硬質木材用タッピンねじの正面図である。
【図８】同上左側面図である。
【図９】同上右側面図である。
【発明を実施するための形態】
【００１５】
以下、本発明の実施の形態を図面に基づいて説明する。
【実施例１】
【００１６】
図１ないし図３は、本発明の実施例１に係る硬質木材用タッピンねじを示しており、軸部１は所定の直径を有する細長い円柱状体で、一端に円錐状のテーパ部２が設けられ、他端に回転工具の係合部（図示せず）を有する頭部３が設けられている。そして、テーパ部２に先端導入ねじ山４が設けられると共に、軸部２の外周に平行ねじ山５が設けられ、軸部１の先端部位１ａに設けられる平行ねじ山５が先端導入ねじ山４に連続して形成されている構成は、従来の木材用タッピンねじと同じである。
【００１７】
本発明に係るタッピンねじは、テーパ部２に隣接する軸部１の先端部位１ａに半径方向へ突出し、長手方向へ延びる２本の突条６，６が周方向に１８０度位相を異にして突設されている。該突条６，６はリーマ機能を有しており、図４ないし図６に良く示されているように、ひれ状で、平行ねじ山５の高さと略等しい高さを有し、軸部上の先端部位１ａに設けられた平行ねじ山５と交叉して、かつ、軸方向へねじれて長手方向へ延びているが、該平行ねじ山５を分断していない。すなわち、平行ねじ山５自体は連続した形態を維持している。なお、平行ねじ山５の連続性をより確実にするには、突条６，６の高さを平行ねじ山５の高さ以下にすることが望ましい。
【００１８】
上記のような突条６，６を設けることにより、円錐状テーパ部２の先端を被締結物の木材に押し当て、頭部３に係合した図示しない回転工具により軸部１を押込みながら回転させると、先端導入ねじ山４が木部に喰い込んで雌ねじをタッピングし、続いてリーマ機能を有する突条６，６が木部の繊維質を解みほぐして軟らかくして、後続する軸部１の先端部位１ａに設けた平行ねじ山５のねじ込み抵抗を軽減させる。しかも該平行ねじ山５は先端導入ねじ山４に連続し、かつ、突条６，６によって分断されていないので、先端導入ねじ山４によりタッピングされた前記雌ねじに正しく螺合し、該平行ねじ山５を小さなねじ込み力でねじ込んで、ねじの自進作用を生じさせることができる。したがって、硬い木材に対しても小さなねじ込み力で容易にねじ込むことができ、十分な締付け力が得られる。
【実施例２】
【００１９】
図７ないし図９は、本発明の実施例２に係る硬質木材用タッピンねじを示しており、実施例１のタッピンねじと同一構成部分については、同一の符号を付して説明は省略する。
【００２０】
実施例２に係るタッピンねじは、軸部１の先端部分１ａに設ける突条７，７が、実施例１の突条６，６のように軸部１の先端部位１ａに設けた平行ねじ山５と交叉して長手方向へ延びておらず、該平行ねじ山５の中間においてねじピッチとほぼ等しい長さを形成されている。
【００２１】
このような突条７，７を設けた場合も、実施例１と同様に作用し、硬い木材に対しても小さなねじ込み力で容易にねじ込むことができ、十分な締付け力が得られる。
【産業上の利用可能性】
【００２２】
本発明のタッピンねじは、硬い木材からなる比較的厚い床材を桁の木材にねじ止めして固定するのに好適である。
【符号の説明】
【００２３】
１  軸部
１ａ  軸部１の先端部位
２  円錐状テーパ部
３  頭部
４  先端導入ねじ山
５  平行ねじ山
６、７  突条
【図１】
2010190269.tif 000003
【図２】
2010190269.tif 000004
【図３】
2010190269.tif 000005
【図４】
2010190269.tif 000006
【図５】
2010190269.tif 000007
【図６】
2010190269.tif 000008
【図７】
2010190269.tif 000009
【図８】
2010190269.tif 000010
【図９】
2010190269.tif 000011